(57)【要約】【課題】気密テープの貼着による気密性の低下を防止することができる気密カバーを提供する。【解決手段】気密カバー２０は、一面に開口部２１ａを有するとともに開口部２１ａから配線器具Ｓを収容可能な有底箱状に形成されたカバー本体２１を備えるとともに、開口部２１ａの開口縁全周からカバー本体２１の外方に向けて延びる環状のフランジ部２６を備える。フランジ部２６には気密テープ２９が貼着されるとともに、この気密テープ２９によってフランジ部２６に貼着部が形成されている。この気密テープ２９はフランジ部２６に沿った無端四角環状に形成されている。【選択図】図３
2011050148.tif 000002
【特許請求の範囲】
【請求項１】
建築物の壁に設置される配線器具を内部に収容する気密カバーであって、
一面に開口部を有するとともに該開口部から前記配線器具を収容可能な有底箱状に形成されたカバー本体を備えるとともに、前記開口部の開口縁全周から前記カバー本体の外方に向けて延びる環状のフランジ部を備え、
前記フランジ部に全周に亘って無端環状をなす気密テープが貼着されるとともに、該気密テープによって前記フランジ部に環状の貼着部が形成されている気密カバー。
【請求項２】
前記貼着部は剥離シートによって覆われるとともに、前記剥離シートに把持部が設けられている請求項１に記載の気密カバー。
【請求項３】
前記把持部は、前記剥離シートの外周縁から延設されるとともに前記フランジ部の外周縁から突出しないように設けられている請求項２に記載の気密カバー。
【請求項４】
前記気密テープは、前記フランジ部において前記カバー本体の前記開口部側の面に貼着されるとともに、前記把持部は前記剥離シートの内周縁から前記開口部側に向けて延びている請求項２に記載の気密カバー。
【請求項５】
前記把持部は、前記フランジ部の内周縁を越えて前記開口部の内側に達するまで延びている請求項４に記載の気密カバー。
【請求項６】
前記気密テープは、前記フランジ部において前記カバー本体の底壁側の面に貼着されるとともに、前記把持部は前記剥離シートの内周縁から前記フランジ部の底壁に向けて延びている請求項２に記載の気密カバー。
【請求項７】
前記剥離シートは、環状に形成された一枚である請求項２〜請求項６のうちいずれか一項に記載の気密カバー。
【請求項８】
前記気密テープは、前記壁の裏側に設けられた透明又は半透明の気密シートに対して気密に貼着されるとともに、前記フランジ部は透明又は半透明に形成され、前記気密テープは、白以外の有色に形成されている請求項１〜請求項７のうちいずれか一項に記載の気密カバー。
【請求項９】
前記気密テープは、不透明の暗色に形成されている請求項８に記載の気密カバー。
【発明の詳細な説明】
【技術分野】
【０００１】
本発明は、建築物の壁に設置される配線器具を内部に収容する気密カバーに関する。
【背景技術】
【０００２】
例えば、建築物の壁としての軽量間仕切壁は、軽量形鋼材を挟むようにして壁材（例えば、石膏ボード）を立設することで構築される。軽量間仕切壁は、対となる壁材の間に中空部が形成されており、中空部には発泡ポリスチレン板やグラスウール、硬質発泡ウレタン板等の断熱部材が配設されている。また、例えば室内での冷暖房効率の向上を図るために、中空部内における断熱部材よりも室内側には、断熱部材を覆うようにポリエチレンフィルム等の気密シートが設けられている。この気密シートによって外気と内気との流通が遮断され、気密性が向上されることにより、冷暖房効率の向上が図られている。
【０００３】
また、軽量間仕切壁に配線器具を設置するため、軽量間仕切壁の裏側には、一面に開口を有する有底四角箱状の配線ボックスが設置される。また、配線ボックスの設置に伴う気密性の低下を防止するため、軽量間仕切壁の裏側には気密カバーが設置されるとともに、この気密カバー内に配線ボックスが収納される。そして、このような気密カバーとしては、例えば特許文献１に記載の気密部材が挙げられる。
【０００４】
特許文献１に記載の気密部材は、一面を開口する略箱状に形成された収納部と、収納部の開口縁に外周方向の外方に向けて鍔状に突出するフランジ部とが一体形成されている。気密部材の設置の際、フランジ部には、気密シートが気密テープによって気密に取り付けられる。そして、フランジ部と気密シートとの間が気密テープによりシールされ、フランジ部と気密シートとの間の空気の流通が遮断される結果、配線ボックスを介した外気と内気との流通が遮断され、気密性の低下が防止されるようになっている。
【先行技術文献】
【特許文献】
【０００５】
【特許文献１】特開平８−３０２８３８号公報
【発明の概要】
【発明が解決しようとする課題】
【０００６】
ところが、特許文献１の図１及び図２に示すように、フランジ部に気密シートを取り付ける際、複数の気密テープが、気密テープの端部同士が重なり合うようにしてフランジ部と気密シートに貼着されている。このため、気密テープの重なり合う部分において、気密テープの端縁に沿っては気密テープを貼着しにくく、気密テープの端縁に沿った位置には隙間が形成されてしまう。すると、この隙間により、フランジ部に対し気密シートを確実に取り付けることができず、気密テープによってフランジ部と気密シートとを貼着しても気密性が低下してしまうという問題があった。
【０００７】
本発明は、このような従来の技術に存在する問題点に着目してなされたものである。その目的は、気密テープの貼着による気密性の低下を防止することができる気密カバーを提供することにある。
【課題を解決するための手段】
【０００８】
上記問題点を解決するために、請求項１に記載の発明は、建築物の壁に設置される配線器具を内部に収容する気密カバーであって、一面に開口部を有するとともに該開口部から前記配線器具を収容可能な有底箱状に形成されたカバー本体を備えるとともに、前記開口部の開口縁全周から前記カバー本体の外方に向けて延びる環状のフランジ部を備え、前記フランジ部に全周に亘って無端環状をなす気密テープが貼着されるとともに、該気密テープによって前記フランジ部に環状の貼着部が形成されていることを要旨とする。
【０００９】
請求項２に記載の発明は、請求項１に記載の気密カバーにおいて、前記貼着部は剥離シートによって覆われるとともに、前記剥離シートに把持部が設けられていることを要旨とする。
【００１０】
請求項３に記載の発明は、請求項２に記載の気密カバーにおいて、前記把持部は、前記剥離シートの外周縁から延設されるとともに前記フランジ部の外周縁から突出しないように設けられていることを要旨とする。
【００１１】
請求項４に記載の発明は、請求項２に記載の気密カバーにおいて、前記気密テープは、前記フランジ部において前記カバー本体の前記開口部側の面に貼着されるとともに、前記把持部は前記剥離シートの内周縁から前記開口部側に向けて延びていることを要旨とする。
【００１２】
請求項５に記載の発明は、請求項４に記載の気密カバーにおいて、前記把持部は、前記フランジ部の内周縁を越えて前記開口部の内側に達するまで延びていることを要旨とする。
【００１３】
請求項６に記載の発明は、請求項２に記載の気密カバーにおいて、前記気密テープは、前記フランジ部において前記カバー本体の底壁側の面に貼着されるとともに、前記把持部は前記剥離シートの内周縁から前記フランジ部の底壁に向けて延びていることを要旨とする。
【００１４】
請求項７に記載の発明は、請求項２〜請求項６のうちいずれか一項に記載の気密カバーにおいて、前記剥離シートは、環状に形成された一枚であることを要旨とする。
請求項８に記載の発明は、請求項１〜請求項７のうちいずれか一項に記載の気密カバーにおいて、前記気密テープは、前記壁の裏側に設けられた透明又は半透明の気密シートに対して気密に貼着されるとともに、前記フランジ部は透明又は半透明に形成され、前記気密テープは、白以外の有色に形成されていることを要旨とする。
【００１５】
請求項９に記載の発明は、請求項８に記載の気密カバーにおいて、前記気密テープは、不透明の暗色に形成されていることを要旨とする。
【発明の効果】
【００１６】
本発明によれば、気密テープの貼着による気密性の低下を防止することができる。
【図面の簡単な説明】
【００１７】
【図１】実施形態の気密カバー及び配線ボックスを示す斜視図。
【図２】気密カバー及び剥離シートを示す斜視図。
【図３】気密カバー及び配線ボックスの設置状態を示す斜視図。
【図４】気密カバー及び配線ボックスの設置状態を示す断面図。
【図５】気密カバー及び剥離シートの別例を示す斜視図。
【図６】別例の気密カバーの設置状態を示す断面図。
【図７】剥離シートの別例を示す部分斜視図。
【図８】把持部の別例を示す部分斜視図。
【図９】把持部の別例を示す部分斜視図。
【発明を実施するための形態】
【００１８】
以下、本発明を具体化した一実施形態を図１〜図４にしたがって説明する。
まず、建築物の壁Ｗについて説明する。図３及び図４に示すように、壁Ｗは、柱３１と、その柱３１の前後両面に立設される一対の壁材３２とによって構成されている。また、一対の壁材３２の間には中空部３３が形成されており、中空部３３には発泡ポリスチレン板やグラスウール、硬質発泡ウレタン板等の断熱部材（図示せず）が設けられている。また、中空部３３において断熱部材よりも室内側には断熱部材を覆うようにポリエチレンフィルム等の透明の気密シート３４が設けられている。
【００１９】
次に、壁Ｗに配線器具Ｓを設置するために用いられる配線ボックス１１について説明する。図１に示すように、配線ボックス１１は、合成樹脂材料により一面（表面）に開口を有する有底四角箱状に形成されている。詳細には、配線ボックス１１は、長方形状をなす底壁１２と、底壁１２の上下に対向する一対の短側壁たる上側壁１３ａ及び下側壁１３ｂと、底壁１２の左右に対向する一対の長側壁たる右側壁１３ｃ及び左側壁１３ｄとから形成されている。
【００２０】
上側壁１３ａ及び下側壁１３ｂには、ケーブル挿通孔１５が二つずつ形成されている。一方のケーブル挿通孔１５はノック部１４によって閉鎖され、他方のケーブル挿通孔１５にはノック部１４が形成されず開放されている。また、上側壁１３ａ及び下側壁１３ｂの内面には、配線器具Ｓを配線ボックス１１に取り付けるために用いられるボス部１９が形成されている。左側壁１３ｄの外面には、配線ボックス１１を柱３１に固定する際、柱３１の側面に当接させる当接座部１７が突設され、この当接座部１７にはビス孔１８が複数（実施形態では三つ）形成されている。
【００２１】
次に、気密カバー２０について説明する。
気密カバー２０は、透明であるとともに可撓性を有する合成樹脂、例えばポリプロピレンをプレス成型や真空成型により所定形状に成形してなる。気密カバー２０のカバー本体２１は、一面（表面）に開口部２１ａを有する有底四角箱状に形成されている。カバー本体２１は、長方形状をなす底壁２２と、この底壁２２の上下に対向する一対の短側壁たる上側壁２３ａ及び下側壁２３ｂと、左右に対向する一対の長側壁たる右側壁２３ｃ及び左側壁２３ｄとから形成されている。上側壁２３ａ及び下側壁２３ｂには、ケーブル挿通部２７が二つずつ形成されている。このケーブル挿通部２７は、ケーブル２８（図３参照）を挿通するときに初めて開口され、ケーブル２８が挿通されないときは閉鎖されている。カバー本体２１は底壁２２から開口部２１ａに向かうに従い、カバー本体２１の長辺方向及び短辺方向へ開口幅を広げるように形成されている。
【００２２】
図２に示すように、カバー本体２１は、開口部２１ａから内部に配線ボックス１１を収容可能とするとともに、カバー本体２１内に収容された配線ボックス１１の外面全体を覆う大きさに形成されている。カバー本体２１の左右方向への開口幅は、配線ボックス１１の右側壁１３ｃ外面から左側壁１３ｄ外面までのボックス幅より広くなっている。また、カバー本体２１の深さは、配線ボックス１１の底壁１２外面をカバー本体２１の底壁２２内面に当接させた状態では、配線ボックス１１の開口端がカバー本体２１の開口面から突出しないように設定されている。
【００２３】
カバー本体２１における開口部２１ａの開口縁全周には、四角環状をなすフランジ部２６が一体形成されている。このフランジ部２６は、開口部２１ａの開口縁の全周からカバー本体２１の外方に向けて延びるように形成されている。そして、フランジ部２６は、可撓性を有するカバー本体２１に一体成形されているため、その基端を中心として底壁２２側又は底壁２２から離れる側に向けて傾倒可能に形成されている。
【００２４】
図１に示すように、フランジ部２６においてカバー本体２１の開口部２１ａ側の面（表面）には、気密テープ２９が貼着されている。気密テープ２９は、フランジ部２６に沿って延びる無端四角環状に形成されている。気密テープ２９は、その幅がフランジ部２６の幅より短く形成され、フランジ部２６の幅内に収まるようにフランジ部２６に貼着されている。そして、気密テープ２９は、フランジ部２６の全周に亘って延びている。また、気密テープ２９は、両面それぞれが粘着面になっている両面テープよりなるとともに、両面が全面に亘って黒色に形成されている。ここで、本実施形態において、「黒色」とは一般に暗色（濃色）と判断できる色のことをいい、黒色透明で形成された気密テープ２９も含んでいる。
【００２５】
気密テープ２９は、一方の粘着面がフランジ部２６の表面に対し気密に貼着されるとともに、この気密テープ２９の他方の粘着面によりフランジ部２６の貼着部が形成されている。図２に示すように、気密カバー２０の未使用時、気密テープ２９における他方の粘着面（フランジ部２６の貼着部）全体は剥離シート３０が貼着されて覆われている。剥離シート３０は、気密テープ２９と同じ無端四角環状に形成されている。また、剥離シートの内周縁からは指で把持可能な把持部３０ａが設けられている。把持部３０ａは、フランジ部２６の内周縁（カバー本体２１の開口縁）を越えてカバー本体２１の開口部２１ａの内側に達する位置まで細長に延設されており、カバー本体２１内で把持部３０ａを表裏両側から指で把持可能になっている。
【００２６】
次に、気密カバー２０を用いて配線器具Ｓを壁Ｗに設置する方法について説明する。
まず、図３に示すように、剥離シート３０の把持部３０ａが、気密カバー２０の上部から下方へ延びるように、気密カバー２０を配置するとともに、フランジ部２６の左側裏面が柱３１の前面側に位置するように配置する。次に、配線ボックス１１をカバー本体２１内に収容し、その配線ボックス１１のビス孔１８に図示しない固定ビスを挿通するとともに、固定ビスを気密カバー２０の左側壁２３ｄを貫通させて柱３１に強制的に螺入する。すると、気密カバー２０が柱３１に固定されるとともに、配線ボックス１１が気密カバー２０内に収容された状態で柱３１に固定される。このとき、配線ボックス１１は、カバー本体２１内の下側に位置するように柱３１に固定され、把持部３０ａは配線ボックス１１より上側に位置し、把持部３０ａの裏側には配線ボックス１１は存在していない。
【００２７】
次に、ケーブル２８をケーブル挿通部２７を介して気密カバー２０内に挿通するとともに、気密カバー２０内に挿通されたケーブル２８をさらにケーブル挿通孔１５を介して配線ボックス１１内に挿通する。次に、気密テープ２９に貼着された剥離シート３０に対し、把持部３０ａを把持しながら気密テープ２９から剥離し、気密テープ２９の他方の粘着面を露出させる。すなわち、フランジ部２６の貼着部を露出させる。
【００２８】
次に、断熱部材及び気密カバー２０より室内側に、ポリエチレンフィルム等の透明の気密シート３４を設ける。なお、図４に示す気密カバー２０、気密テープ２９及び気密シート３４の厚みは、説明の都合上、厚みを誇張して描いている。気密シート３４は、柱３１の一部に対して例えばタッカー等により固定される。
【００２９】
次に、気密シート３４の裏面に対し、露出させた気密テープ２９の粘着面全体を貼着する。このとき、フランジ部２６及び気密シート３４は透明であり、気密テープ２９の粘着面は黒色であるため、気密シート３４に対する気密テープ２９の貼着状態を視認することができる。そして、この視認時、気密シート３４と気密テープ２９との間に気泡が視認できたら、気泡を指で押し潰す等して抹消して、気密カバー２０の外と内との空気の流通を確実に遮断する。
【００３０】
次に、気密シート３４におけるカバー本体２１の開口部２１ａを覆っている部位を、開口部２１ａの開口縁に沿って切り取ることで、気密シート３４より表側に向けて開口部２１ａを開口させるとともに、配線ボックス１１を気密シート３４より表側に臨ませる。ここで、気密シート３４の開口より外周側では、フランジ部２６と気密シート３４とが無端四角環状の気密テープ２９によって貼着されている。すなわち、気密シート３４の開口は、一繋がりの気密テープ２９によって囲まれており、この気密テープ２９によって気密シート３４とフランジ部２６とが貼着されている。このため、気密テープ２９によって、気密カバー２０の外と内との間での空気の流通が遮断されている。
【００３１】
その後、柱３１を挟むように他方の壁材３２を気密カバー２０の表側に立設することにより、壁Ｗが構築されるとともに壁Ｗ内の中空部３３に配線ボックス１１が設置される。最後に、壁材３２に、配線ボックス１１の開口に対応する透孔を穿設し、その透孔から壁材３２の表側にケーブル２８を引き出し、ケーブル２８を配線器具Ｓに接続する。その後、配線器具Ｓを図示しない配線器具取付枠に保持させるとともに、配線器具Ｓを気密カバー２０内の配線ボックス１１内に収容し、さらに、配線器具取付枠をボス部１９を用いて配線ボックス１１に取り付ける。その結果、壁Ｗに配線器具Ｓが設置される。
【００３２】
上記実施形態によれば、以下のような効果を得ることができる。
（１）気密カバー２０は、フランジ部２６に貼着された気密テープ２９を備えるとともに、この気密テープ２９によってフランジ部２６の表面に貼着部が形成されている。そして、この気密テープ２９はフランジ部２６に沿った無端四角環状に形成されているため、気密テープ２９の端部同士が重なり合う部分が形成されていない。したがって、一繋がりの気密テープ２９により、フランジ部２６と気密シート３４の間を確実に気密にして、気密カバー２０の外と内との空気の流通を遮断し、気密性の低下を防止することができる。
【００３３】
（２）気密テープ２９は無端四角環状をなす一枚で形成されている。このため、例えば、背景技術のように気密テープが複数枚使用される場合と比較して、気密テープ２９をフランジ部２６に貼着する作業を容易に行うことができる。
【００３４】
（３）気密テープ２９の他方の粘着面は、剥離シート３０によって覆われるとともに、この剥離シート３０には把持部３０ａが一体に設けられている。そして、把持部３０ａを指で把持しながら剥離シート３０を粘着面から剥離することができる。また、気密テープ２９は無端四角環状に形成されている。このため、背景技術のように複数の気密テープが使用された場合のように、剥離シート同士が重なり合う部分が形成されることがないため、剥離シート３０を粘着面から剥離する作業を容易に行うことができる。
【００３５】
（４）剥離シート３０は、気密テープ２９の粘着面を一枚で覆うように無端四角環状に形成されている。よって、例えば、気密テープ２９の粘着面が複数の剥離シートで覆われている場合と比較して、剥離シート３０を粘着面から剥離する作業を容易に行うことができる。
【００３６】
（５）フランジ部２６には、フランジ部２６の全周に亘って気密テープ２９が貼着されるとともに、気密テープ２９の粘着面が黒色に形成されている。よって、気密シート３４と気密テープ２９との間に気泡が形成されても、黒色の気密テープ２９上に気泡が浮かび上がり、気泡の有無を容易に視認することができる。よって、気密テープと気密シート３４を貼着する作業時、気泡を確実に抹消することができる。その結果として、気密テープ２９により気密カバー２０の外と内とでの空気の流通を遮断して配線ボックス１１を設置したことによる気密性の低下を防止することができる。
【００３７】
（６）気密テープ２９は、両粘着面において全面に亘って黒色で形成されている。よって、気密シート３４と気密テープ２９との間に気泡が形成されたとしても、気密テープ２９の粘着面が白色や淡い色（例えば、薄い赤や薄い黄等）で形成されている場合と比較して、気泡の有無を容易に視認することができる。
【００３８】
（７）気密カバー２０にフランジ部２６を設け、そのフランジ部２６に貼着した気密テープ２９を気密シート３４に貼着することで、気密カバー２０の外と内との連通を遮断することができる。よって、気密カバー２０の外と内との連通を遮断するため、壁材３２とフランジ部２６との間にパッキンを挟持する場合のように、壁材３２が立設されていなくても気密カバー２０の外と内との連通を遮断することができる。
【００３９】
（８）気密カバー２０が柱３１に取り付けられた状態において、把持部３０ａは気密カバー２０の上部からフランジ部２６の内周縁を越えてカバー本体２１内に達するまで延びている。そして、配線ボックス１１は、気密カバー２０の下側に位置するように柱３１に固定され、配線ボックス１１より上側に把持部３０ａが位置し、把持部３０ａの裏側にはカバー本体２１内の空間が広がっている。このため、把持部３０ａを把持する際、配線ボックス１１が邪魔にならず把持部３０ａの裏側まで指を挿入し、把持部３０ａを表裏両側から容易に把持することができる。
【００４０】
（９）気密カバー２０を運搬したりするとき、把持部３０ａが、剥離シート３０の外周縁からフランジ部２６の外方に向けて突出していると、把持部３０ａが障害物等に引っ掛かって剥離シート３０が気密テープ２９から剥離してしまうことがある。しかし、気密テープ２９は、フランジ部２６においてカバー本体２１の開口部２１ａ側の面に貼着されるとともに、把持部３０ａは剥離シート３０の内周縁から開口部２１ａの内側に達するまで延びている。よって、把持部３０ａが障害物に引っ掛かって剥離シート３０が気密テープ２９から剥離してしまうという不都合の発生を防止することができる。
【００４１】
なお、上記実施形態は以下のように変更してもよい。
・  実施形態において、気密テープ２９における粘着面の色は、黒色に限らず、例えば、寒色系の色である青、緑、紫等であってもよく、暖色系の色である赤、黄等であってもよい。なお、これらの色は、気密シート３４と気密テープ２９との間に気泡が形成されていることを容易に視認可能な濃い青、濃い緑、濃い紫、濃い赤、濃い黄等であるとより好ましい。
【００４２】
・  実施形態において、気密テープ２９は表裏両面が黒色で形成されているが、これに限らず、気密シート３４が貼着される粘着面のみが黒色で形成されていてもよい。
・  実施形態において、気密カバー２０は、カバー本体２１及びフランジ部２６が共に透明に形成されているが、これに限らず、例えば、フランジ部２６のみ透明に形成してもよい。
【００４３】
・  実施形態において、フランジ部２６が半透明に形成されていてもよい。この場合、カバー本体２１は透明であってもよいし、半透明であってもよい。
・  実施形態において、気密カバー２０は透明に形成されているが、これに限らず、気密カバー２０全体が半透明に形成されていてもよい。
【００４４】
・  気密シート３４は、半透明に形成されているものでもよい。
・  気密テープ２９の粘着面は、複数の剥離シート３０によって覆われていてもよい。この場合、少なくとも１つの剥離シート３０に把持部３０ａを形成するのが好ましく、全ての剥離シート３０に把持部３０ａが形成されているのがより好ましい。
【００４５】
・  図５に示すように、フランジ部２６において、カバー本体２１の底壁２２側の面（裏面）に気密テープ２９が貼着され、その気密テープ２９に剥離シート３０が貼着されていてもよい。この場合、把持部３０ａは、剥離シート３０の内周縁からカバー本体２１の底壁２２に向けて延びるように設けられているのが好ましく、また、把持部３０ａは、カバー本体２１の左側壁２３ｄ寄りに位置し、フランジ部２６の幅内に収まっているのが好ましい。さらに、把持部３０ａは、フランジ部２６から底壁２２へ向けた延設方向において、底壁２２の外面より突出しない方が好ましい。
【００４６】
そして、図６に示すように、このような気密カバー２０を使用する場合は、まず、配線ボックス１１が柱３１に固定されるとともに、配線ボックス１１の表側に壁材３２が立設され、さらに、壁材３２の透孔から配線ボックス１１が壁材３２の表側に臨ませる。その後、配線ボックス１１の内側にカバー本体２１が収容されるとともに、フランジ部２６のみは壁材３２の表側に配置され、気密テープ２９によりフランジ部２６の裏面と壁材３２の表面とが気密に貼着される。
【００４７】
・  図７に示すように、実施形態の剥離シート３０において、把持部３０ａの基端側に、剥離シート３０の幅方向全体を横断するように切り込み３０ｂ又はミシン目を形成してもよい。このように構成すると、把持部３０ａを把持して剥離シート３０を気密テープ２９から剥離する際、把持部３０ａのみが剥離シート３０からちぎれてしまうことを防止することができるとともに、剥離シート３０全体をスムーズに剥離することができる。
【００４８】
・  図８に示すように、剥離シート３０の一部（角部）を気密テープ２９から予め剥離しておき、その予め剥離させた部位を把持部３０ａとする。この場合、気密テープ２９をフランジ部２６の幅内に収まるように形成するとともに、把持部３０ａを、剥離シート３０の外周縁からフランジ部２６の外方に向けて延び、しかも、フランジ部２６の幅内に収まるように設ける。気密カバー２０を運搬したりするとき、把持部３０ａが、剥離シート３０の外周縁からフランジ部２６の外方に向けて突出していると、把持部３０ａが障害物等に引っ掛かって剥離シート３０が気密テープ２９から剥離してしまうことがある。しかし、気密テープ２９は、フランジ部２６の外周縁から外方に突出しておらず、フランジ部２６の幅内に収まっている。よって、把持部３０ａが障害物に引っ掛かって剥離シート３０が気密テープ２９から剥離してしまうという不都合の発生を防止することができる。
【００４９】
・  また、気密テープ２９をフランジ部２６の幅内に収まるように設けるとともに、把持部３０ａを、剥離シート３０の内周縁から開口部２１ａに向けて延びるように形成する。このとき、把持部３０ａは、フランジ部２６の内周縁を開口部２１ａ側へ越えないように、フランジ部２６の幅内に位置している。また、この場合、把持部３０ａの裏側には気密テープ２９は存在していない。そして、把持部３０ａは、剥離シート３０の周方向に沿った幅が、剥離シート３０の幅方向に沿った幅より広くなっているのが好ましい。
【００５０】
このように構成した場合、無端四角環状の気密テープ２９及び剥離シート３０は、両面テープに剥離紙が貼着されたシート状のものから無端四角環状をなす部位を確保し、その他の部位は廃棄して形成されている。よって、把持部３０ａを、剥離シート３０の内周縁から開口部２１ａに向けて延びるように形成することで、シートの廃棄量を減らすことができる。
【００５１】
また、把持部３０ａを形成しつつも、気密テープ２９の幅方向への幅が短くならず、しかも、把持部３０ａを指で把持しやすい。
・  図９に示すように、把持部３０ａはフランジ部２６の内周縁と対向する部位から底壁２２に向かって延びるようにカバー本体２１内で折り曲げられていてもよい。このように構成した場合、多数の気密カバー２０の運搬時、気密カバー２０同士はカバー本体２１内に別のカバー本体２１が収容されるように重なり合わされる。このとき、把持部３０ａが底壁２２に向かって折り曲げられていると、把持部３０ａが気密カバー２０を重なり合わせるときの障害になることが防止される。
【００５２】
・  配線ボックス１１及び気密カバー２０の設置順序は実施形態に限られず、以下のように変更してもよい。まず、気密カバー２０のみを柱３１に固定し、気密カバー２０のケーブル挿通部２７からカバー本体２１内にケーブル２８を引き込んだ後、気密カバー２０の表側に気密シート３４を設けるとともに、気密テープ２９によりフランジ部２６の表面と気密シート３４の裏面とを気密に貼着する。その後、気密シート３４におけるカバー本体２１の開口部２１ａを覆っている部位を、開口部２１ａの開口縁に沿って切り取り、気密シート３４より表側に向けて開口部２１ａを開口させる。次に、カバー本体２１内に配線ボックス１１を収容するとともに、配線ボックス１１を柱３１に固定する。なお、この場合、気密テープ２９によるフランジ部２６と気密シート３４との貼着時期は任意に変更してもよい。
【００５３】
・  配線ボックス１１及び気密カバー２０の設置順序は実施形態に限られず、以下のように変更してもよい。まず、ケーブル２８を配線した状態で柱３１の表側に気密シート３４を設け、その気密シート３４の所定位置を開口させる。その後、気密カバー２０及び配線ボックス１１を気密シート３４の裏側へ配置し、柱３１に対し配線ボックス１１と共に気密カバー２０を固定する。この際、実施形態のようにフランジ部２６における開口部２１ａが開口する側の面（表面）に気密テープ２９が貼着されていれば、フランジ部２６を気密シート３４の裏側に配置し、気密テープ２９によりフランジ部２６の表面と気密シート３４の裏面とを貼着する。一方、図５に示すように、フランジ部２６の底壁２２側の面（裏面）に気密テープ２９が貼着されていれば、フランジ部２６は気密シート３４の表側に配置して気密テープ２９によりフランジ部２６の裏面と気密シート３４の表面とを貼着する。なお、この場合、気密テープ２９によるフランジ部２６と気密シート３４との貼着時期は任意に変更してもよい。
【００５４】
・  配線ボックス１１及び気密カバー２０の設置順序は実施形態に限られず、以下のように変更してもよい。まず、配線ボックス１１のみを柱３１に固定するとともに、配線ボックス１１内にケーブル２８を引き込んでおく。次に、配線ボックス１１の表側に気密シート３４を設けるとともに、その気密シート３４の所定位置を開口させる。次に、配線ボックス１１を柱３１から取り外した後、気密カバー２０を気密シート３４の裏側に固定、配置するとともに、配線ボックス１１をカバー本体２１内に収容し、再度、配線ボックス１１を柱３１に固定し、ケーブル２８を配線ボックス１１内に引き込んでもよい。なお、この場合、気密テープ２９によるフランジ部２６と気密シート３４との貼着時期はいつでもよい。
【００５５】
・  実施形態において、気密テープ２９によるフランジ部２６と気密シート３４との貼着時期は任意に変更してもよい。
・  実施形態及び各変更例において、把持部３０ａは、剥離シート３０に一体形成するのではなく、別体の把持部を剥離シート３０に貼着する等して設けてもよい。
【００５６】
・  把持部３０ａを設ける位置、数、大きさ等は実施形態に限らず、例えば、フランジ部２６に沿って把持部３０ａを複数設けてもよく、カバー本体２１の開口部２１ａ全体を覆うように大きいものであってもよい。
【００５７】
・  実施形態において、把持部３０ａは、剥離シート３０の外周縁からフランジ部２６の外方へ向けて延びるように形成されていてもよい。
・  実施形態では、ボス部１９が一対形成されている配線ボックス１１を収容する気密カバー２０に具体化したが、気密カバーを、複数対のボス部１９が並列されている配線ボックス１１を収容可能とするタイプに具体化してもよい。この場合、気密カバーは、配線ボックス１１の形状や収容する配線器具の形状、配置に応じて正方形状や横長方形状等に変更してもよい。
【符号の説明】
【００５８】
Ｓ…配線器具、Ｗ…壁、２０…気密カバー、２１…カバー本体、２１ａ…開口部、２２…底壁、２６…フランジ部、２９…気密テープ、３０…剥離シート、３０ａ…把持部、３４…気密シート。
【図１】
2011050148.tif 000003
【図２】
2011050148.tif 000004
【図３】
2011050148.tif 000005
【図４】
2011050148.tif 000006
【図５】
2011050148.tif 000007
【図６】
2011050148.tif 000008
【図７】
2011050148.tif 000009
【図８】
2011050148.tif 000010
【図９】
2011050148.tif 000011